(57)【要約】【課題】  多様な場所で使用することができ、各種形状の物品を安定した状態で収納することのできる物品収納用仕切り部材を提供する。【解決手段】  物品を挿入するための複数の帯環１４を有する物品収納用仕切り部材１０において、帯環１４を、可撓性の帯状体１２を蛇行状に折り畳むとともにこの帯状体１２を長手方向に適宜の間隔を空けて互いに突き合わせ、それによって形成された突合せ線１３を接合することによって形成する。なお、帯状体１２としては、弾性体を用いるのが好ましく、例えば、弾性糸が織り込まれた弾性織布を用いてもよい。また、帯状体１２の突合せ線１３の接合は、例えば、縫糸１６を用いて縫着することによって行うことが可能であり、この場合、突合せ線１３の幅方向端縁部のみを縫着するようにしてもよい。【選択図】    図１
2006347563.tif 000002
【特許請求の範囲】
【請求項１】
物品を挿入するための複数の帯環を有する物品収納用仕切り部材であって、
前記帯環は、可撓性の帯状体を蛇行状に折り畳むとともに当該帯状体を長手方向に適宜の間隔を空けて互いに突き合わせてこの突合せ線を接合することによって形成したものであることを特徴とする物品収納用仕切り部材。
【請求項２】
前記帯状体が弾性体から構成されていることを特徴とする請求項１記載の物品収納用仕切り部材。
【請求項３】
前記帯状体が、弾性糸が織り込まれた弾性織布から構成されていることを特徴とする請求項２記載の物品収納用仕切り部材。
【請求項４】
前記帯状体の突合せ線が縫着により接合されていることを特徴とする請求項１〜３のいずれか１項に記載の物品収納用仕切り部材。
【請求項５】
前記帯状体の突合せ線の幅方向端縁部のみが縫着されていることを特徴とする請求項４記載の物品収納用仕切り部材。
【請求項６】
前記帯状体が、内部にエアが封入されたエアクッション材によって構成されていることを特徴とする請求項１記載の物品収納用仕切り部材。
【発明の詳細な説明】
【技術分野】
【０００１】
本発明は、化粧品やアクセサリ等の、様々な大きさや形状の物品を整理収納する際に有効利用することのできる、物品収納用仕切り部材に関するものである。
【背景技術】
【０００２】
従来から、例えばポーチや引出しなどには、物品を整理して収納するためのものとして、内部を間仕切りする仕切り部材が用いられることがあった。
【０００３】
例えば、特許文献１には、引出し（収納ケース）用の仕切り部材として、上面に溝が設けられた板状の台座と、この台座の溝に差し込まれて立設される仕切り板とから構成された仕切り部材が開示されている。この仕切り部材によれば、適宜な長さに切断した複数の仕切り板を台座に差し込んで組み立てることにより、例えば平面視Ｔ字形状や、十字形状など、各種形状の仕切り部材を形成することが可能であった。
【特許文献１】特開２００３−２４１５７号公報
【発明の開示】
【発明が解決しようとする課題】
【０００４】
しかしながら、前記特許文献１記載の仕切り部材は、その形状から、引出しのような箱型の収納ケースの内部でしか使用することができず、使用場所が限られていた。また、Ｔ字形状や十字形状に間仕切りすることしかできないため、例えばある程度の高さを有する不安定なものや、複雑な形状を有する小物類を、安定した状態で収納する用途には向いていなかった。
【０００５】
本発明は、このような事情に鑑みてなされたものであり、多様な場所で使用することができ、各種形状の物品を安定した状態で収納することのできる物品収納用仕切り部材を提供することを目的とする。
【課題を解決するための手段】
【０００６】
上記課題を解決するためのものとして、本発明は、物品を挿入するための複数の帯環を有する物品収納用仕切り部材であって、前記帯環が、可撓性の帯状体を蛇行状に折り畳むとともに当該帯状体を長手方向に適宜の間隔を空けて互いに突き合わせてこの突合せ線を接合することによって形成したものであることを特徴とするものである。
【０００７】
この物品収納用仕切り部材によれば、物品を挿入するための帯環が可撓性の帯状体によって形成されていることにより、その帯環に物品を挿入したときに帯環を各種物品の形状に合わせて変形させることができるため、多様な形状の物品をこの帯環に挿入することができる。しかも、帯環で包むような状態で物品を収納するため、ある程度の高さを有する不安定なものを立てた状態で収納する場合や、複雑な形状を有する小物類などを収納する場合であっても、これらの物品を安定した状態で収納することが可能である。しかも、可撓性の帯状体を折り畳んで部分的に接合することによって構成した本発明の物品収納用仕切り部材は、非常に簡単な構造であるため、安いコストで製造することができる。さらには、物品収納用仕切り部材全体としても多様な形状に変形可能であるため、引出しのような箱型の収納ケースの内部だけでなく、例えば各種大きさのポーチや、その他のバッグ類の内部など、多様な場所で使用することができる。
【０００８】
この構成において、前記帯状体は、弾性体によって構成することが好ましい。これにより、帯環がより幅広い範囲で変形可能となるため、より多様な形状の物品を帯環に挿入することができる。しかもこのとき、帯環が自身の有する弾性力によって物品に密着するため、より安定した状体で物品を収納することが可能である。なお、当該帯状体を構成する弾性体の具体例としては、例えば、弾性糸が織り込まれた弾性織布が考えられる。
【０００９】
また、前記帯状体の突合せ線の接合は、例えば、縫着によって行うことが可能である。この場合、突合せ線の幅方向端縁部のみを縫着するようにしてもよい。このようにすれば、より安いコストで本発明の物品収納用仕切り部材を製造することができる。
【００１０】
ここで、前記帯状体は、内部にエアが封入されたエアクッション材によって構成してもよい。この構成による物品収納用仕切り部材は、収納された物品を衝撃から守る緩衝材として高い効果を発揮するため、例えば、割れ物等の物品を梱包材に詰めて輸送する際に、梱包材の内部においてこの物品収納用仕切り部材を使用し、その帯環に物品を挿入するようにすれば、当該輸送中に物品が割れることを確実に防止することができる。
【発明の効果】
【００１１】
以上のように、本発明によれば、多様な場所で使用することができ、各種形状の物品を安定した状態で収納することのできる物品収納用仕切り部材を提供することができる。
【発明を実施するための最良の形態】
【００１２】
本発明の好ましい実施の形態を図面を参照しながら説明する。
【００１３】
図１は、本発明の一実施形態にかかる物品収納用仕切り部材の斜視図である。本図に示すように、物品収納用仕切り部材１０は、物品を整理・収納するために用いられるもので、平面視略扇形（又は略三角形）の複数の帯環１４を有し、この帯環１４に適当な物品が挿入される構成となっている。
【００１４】
この帯環１４は、弾性糸が織り込まれた弾性織布から成る一体の帯状体１２の一部として形成されている。すなわち、帯環１４は、帯状体１２を蛇行状に折り畳むとともにこの帯状体１２を長手方向に適宜の間隔を空けて互いに突き合わせ、それによって形成された突合せ線１３を、縫糸１６を用いて縫着することによって形成したものである。このため、帯環１４は、向きを交互に変えながら図１における左右方向（図示のＸ−Ｘ方向）に複数並ぶような状態で形成されている。なお、縫糸１６による縫着は、帯状体１２の幅方向両側の端縁部、すなわち図１における高さ方向（図示のＹ−Ｙ方向）両側の端縁部においてのみ行われている。
【００１５】
このように、物品収納用仕切り部材１０は、弾性体から成る帯状体１２を折り畳んで部分的に縫着することによって構成されているため、左右方向に伸縮自在である。この物品収納用仕切り部材１０の圧縮状態と伸張状態の各状態を、図２を用いて説明する。
【００１６】
図２は、物品収納用仕切り部材１０を上から見た平面図であり、同図（ａ）は物品収納用仕切り部材１０の圧縮状態を示している。本図に示すように、圧縮状態における物品収納用仕切り部材１０は、帯状体１２が積層されたような状態となり、このときの帯環１４は、ごく幅の狭い細長い形状となる。このとき、前記縫糸１６の縫着位置は、図示のＡ：Ｂ：Ｃが略１：２：１となるようにその間隔が設定されている。従って、この圧縮状態から、物品収納用仕切り部材１０を左右に引っ張ってこれを伸長すれば、物品収納用仕切り部材１０は、図２（ｂ）に示すように、各帯環１４が略正三角形となる状態まで伸張される。なお、図２（ｂ）では、全ての帯環１４が一様に略正三角形になるまで物品収納用仕切り部材１０を伸張した例を示したが、各帯環１４は、当然ながら、個別に様々な形状に変形することが可能である。すなわち、各帯環１４は、図２（ｂ）のような略正三角形に限らず、図２（ａ）と（ｂ）の中間状態である略扇形の形状に変形することも可能であるし、また、各帯環１４は、弾性体から構成されているため、図２（ｂ）に示す正三角形よりもさらに大きい三角形に変形することも可能である。
【００１７】
次に、以上のような構成の物品収納用仕切り部材１０の使用態様について説明する。
【００１８】
図３は、物品収納用仕切り部材１０の使用態様の一例であり、物品収納用仕切り部材１０を、ポーチ２０に適用した場合を示している。本図に示すように、物品収納用仕切り部材１０は、ポーチ２０の内部に収納された状態で使用される。
【００１９】
この物品収納用仕切り部材１０の左右方向の両側面と、これに対応したポーチ２０の内壁には、ボタンフック２２が取り付けられており、このボタンフック２２により、物品収納用仕切り部材１０が、ポーチ２０の内壁に着脱自在に固定されるようになっている。なお、特に必要なければこのボタンフック２２は省略してもよい。
【００２０】
この使用態様によれば、使用者は、ポーチ２０に収納される口紅等の化粧品類、ブラシ、アクセサリ類などの小物を、ポーチ２０内の物品収納用仕切り部材１０に形成された各帯環１４にそれぞれ挿入することができ、それによって前記小物類を容易に整理して収納することができる。このとき、弾性体から成る帯環１４が各種物品の形状に合わせて変形可能であるため、使用者は、多様な形状の物品をこの帯環１４に挿入することができる。しかも、帯環１４が自身の有する弾性力によって物品に密着するため、使用者は、安定した状態で物品を収納することができ、その結果、例えば口紅やブラシのような背高で不安定なものを立てた状態で収納する場合や、アクセサリ類のような複雑な形状で壊れ易いものを収納する場合であっても、これらの物品を安定した状態で収納することができる。さらには、物品収納用仕切り部材１０が、前記のように伸縮自在であることから、使用者は、物品収納用仕切り部材１０が必要ないときは、ボタンフック２２の締結を解除するとともに物品収納用仕切り部材１０を圧縮する（図２（ａ）のような状態にする）ことにより、物品収納用仕切り部材１０が邪魔にならないような状態でこれをポーチ２０に収納しておくことができる。
【００２１】
以上、物品収納用仕切り部材１０の一使用態様について説明したが、物品収納用仕切り部材１０の使用態様はこれに限るものではない。例えば、伸縮自在な物品収納用仕切り部材１０は、前記ポーチ２０以外にも、各種大きさのポーチや、その他のバッグ類等の内部において使用することもできるし、当然、引出しのような箱型のケースの内部で使用することもできる。さらには、机上等に単体で設置し、文房具等を収納する用途に使用することも可能である。
【００２２】
以上説明したように、本実施形態の物品収納用仕切り部材１０によれば、物品を挿入するための帯環１４が弾性体製の帯状体１２によって形成されていることにより、この帯環１４に物品を挿入したときに帯環１４を各種物品の形状に合わせて変形させることができるため、多様な形状の物品をこの帯環１４に挿入することができる。しかも、帯環１４が自身の有する弾性力によって物品に密着するため、安定した状態で物品を収納することができ、その結果、ある程度の高さを有する不安定なもの（例えば口紅やブラシ、文房具類など）を立てた状態で収納する場合や、複雑な形状を有する小物類（例えば指輪などのアクセサリ類）などを収納する場合であっても、これらの物品を安定した状態で収納することが可能である。しかも、弾性を有する帯状体１２を折り畳んで接合することによって構成した物品収納用仕切り部材１０は、非常に簡単な構造であるため、安いコストで製造することができる。さらには、伸縮自在であるため、引出しのような箱型の収納ケースの内部だけでなく、例えば各種大きさのポーチや、その他のバッグ類の内部など、多様な場所で使用することが可能である。
【００２３】
なお、本実施形態では、帯状体１２の材質として、弾性糸を織り込んで成る弾性織布を使用したが、これ以外にも、各種のゴム等から成る弾性体を使用することが可能である。また、帯状体１２の材質としては、弾性を有するものでなくても、可撓性を有するものであれば使用することができ、例えば非弾性織布や各種の樹脂を用いることができる。ただし、帯状体１２として弾性体を用いた方が、帯環１４がより幅広い範囲で変形できる点などで有利である。
【００２４】
さらに、帯状体１２の材質としては、内部にエアが封入されたエアクッション材を使用してもよい。このように構成した物品収納用仕切り部材１０は、収納された物品を衝撃から守る緩衝材として高い効果を発揮するため、例えば、割れ物等の物品を梱包材に詰めて輸送する際に、梱包材の内部においてこの物品収納用仕切り部材１０を使用し、帯環１４に物品を挿入するようにすれば、当該輸送中に物品が割れることを確実に防止することができる。
【００２５】
また、帯状体１２の突合せ線１３の接合は、帯状体１２の幅方向両側の端縁部を、縫糸１６を用いて縫着することによって行ったが、帯状体１２の幅方向片側の端縁部のみを縫着するようにしてもよい。このようにすれば、物品収納用仕切り部材１０の形態の自由性が増すとともに、より安いコストで物品収納用仕切り部材１０を製造することが可能となる。ただし、本実施形態のように帯状体１２の幅方向両側の端縁部を縫着する方が、物品収納用仕切り部材１０の形態安定性の点からは有利である。なお、突合せ線１３の縫着は、当然ながら、突合せ線１３の全長にわたって行ってもよい。また、突合せ線１３は、縫着以外の方法で接合してもよく、例えば接着により接合するようにしてもよい。さらにまた、帯状体１２がゴム製や樹脂製である場合には、溶着により接合してもよい。
【００２６】
ここで、物品収納用仕切り部材１０を平面視したときの縫糸１６の縫着位置は、図２（ａ）に示す物品収納用仕切り部材１０の圧縮状態において、その間隔が図示のＡ：Ｂ：Ｃが略１：２：１となるように設定したが、この比を変更すれば、伸張状態における物品収納用仕切り部材１０の形状パターンを変化させることが可能である。以下、縫着位置の間隔比を各種の比に設定した場合の、物品収納用仕切り部材１０の形状パターンについて例示する。
【００２７】
図４に示す物品収納用仕切り部材１００では、同図（ａ）に示す圧縮状態において、Ａ：Ｂ：Ｃが略１：１：１になるように縫着位置が設定されている。このような物品収納用仕切り部材１００は、左右に伸張されたときに、その形状が同図（ｂ）に示すような形状となり、その結果、略正方形の帯環１１４が形成されるようになる。
【００２８】
図５に示す物品収納用仕切り部材２００では、同図（ａ）に示す圧縮状態において、Ａ：Ｂ：Ｃが略２：１：２になるように縫着位置が設定されている。このような物品収納用仕切り部材２００は、左右に伸張されたときに、その形状が同図（ｂ）に示すような形状となり、その結果、菱形が平たくつぶされたような形状の帯環２１４が形成されるようになる。
【００２９】
なお、図示はしないが、前記Ａ：Ｂ：Ｃの比は、この他にも各種比に設定し得ることは言うまでもない。
【００３０】
また、図６に示す物品収納用仕切り部材３００では、縫着位置が中央部の１箇所に集中的に設定されている。このような物品収納用仕切り部材３００は、左右の伸張性に欠けるとともに帯環３１４に挿入し得る物品の形状も限られることとなるが、外観が花びらのような形状となるため、意匠性に富んだものとなる。
【図面の簡単な説明】
【００３１】
【図１】本発明の実施の形態にかかる物品収納用仕切り部材の斜視図である。
【図２】前記物品収納用仕切り部材の平面図であり、（ａ）は物品収納用仕切り部材を圧縮したときの状態、（ｂ）は伸張したときの状態を示す。
【図３】前記物品収納用仕切り部材の使用態様にかかる斜視図である。
【図４】本発明の変形実施例にかかる物品収納用仕切り部材の平面図であり、（ａ）は物品収納用仕切り部材を圧縮したときの状態、（ｂ）は伸張したときの状態を示す。
【図５】本発明の他の変形実施例にかかる物品収納用仕切り部材の平面図であり、（ａ）は物品収納用仕切り部材を圧縮したときの状態、（ｂ）は伸張したときの状態を示す。
【図６】本発明のさらに他の変形実施例にかかる物品収納用仕切り部材の平面図である。
【符号の説明】
【００３２】
１０  物品収納用仕切り部材
１２  帯状体
１３  突合せ線
１４  帯環
１６  縫糸
【図１】
2006347563.tif 000003
【図２】
2006347563.tif 000004
【図３】
2006347563.tif 000005
【図４】
2006347563.tif 000006
【図５】
2006347563.tif 000007
【図６】
2006347563.tif 000008